(57)【特許請求の範囲】
【請求項１】
固定及び固定解除動作する固定部が複数並んで配設されたストックベースを備えたストッカシステムに用いられる収容ボックスであって、
開口部が形成され物品を収容する収容本体と、
前記開口部を閉塞する蓋部材と、
前記蓋部材と前記収容本体とをロックするロック機構と、
前記収容本体に配設され前記ストックベースの前記固定部に固定される固定機構と、を備え、
前記固定機構が前記固定部から固定解除されると前記ストックベースから分離移動可能となり、
前記ロック機構及び前記固定機構は、前記固定部の固定解除動作により連動してロック解除及び固定解除される、収容ボックス。
【請求項２】
前記ロック機構は、一端側が前記ストックベースに接触し他端側が前記蓋部材に接触する接続部材を有し、前記接続部材の他端側が前記蓋部材の移動を規制する規制部である、請求項１に記載の収容ボックス。
【請求項３】
固定及び固定解除動作する固定部が複数並んで配設されたストックベースを備えたストッカシステムに用いられる収容ボックスであって、
開口部が形成され物品を収容する収容本体と、
前記開口部を閉塞する蓋部材と、
前記蓋部材と前記収容本体とをロックするロック機構と、
前記収容本体に配設され前記ストックベースの前記固定部に固定される固定機構と、を備え、
前記固定機構が前記固定部から固定解除されると前記ストックベースから分離移動可能となり、
前記ロック機構は、一端側が前記ストックベースに接触し他端側が前記蓋部材に接触する接続部材を有し、前記接続部材の他端側が前記蓋部材の移動を規制する規制部である、収容ボックス。
【請求項４】
前記固定機構は前記収容本体の一端側に配設され、前記ロック機構は前記収容本体の他端側に配設されており、
前記ロック機構は、前記固定機構から該ロック機構まで形成された接続部材を有し、
前記接続部材は前記固定機構側に付勢されており、前記固定機構が前記固定部に固定されると、前記接続部材は前記ロック機構側に移動して前記蓋部材の移動を規制する、請求項１〜３のいずれか１項に記載の収容ボックス。
【請求項５】
固定及び固定解除動作する固定部が複数並んで配設されたストックベースを備えたストッカシステムに用いられる収容ボックスであって、
開口部が形成され物品を収容する収容本体と、
前記開口部を閉塞する蓋部材と、
前記蓋部材と前記収容本体とをロックするロック機構と、
前記収容本体に配設され前記ストックベースの前記固定部に固定される固定機構と、を備え、
前記固定機構が前記固定部から固定解除されると前記ストックベースから分離移動可能となり、
前記固定機構は前記収容本体の一端側に配設され、前記ロック機構は前記収容本体の他端側に配設されており、
前記ロック機構は、前記固定機構から該ロック機構まで形成された接続部材を有し、
前記接続部材は前記固定機構側に付勢されており、前記固定機構が前記固定部に固定されると、前記接続部材は前記ロック機構側に移動して前記蓋部材の移動を規制する、収容ボックス。
【請求項６】
前記収容本体は、前記固定部の固定解除動作によって前記接続部材が前記ストックベースを押圧することにより該ストックベースから離間移動する、請求項４又は５に記載の収容ボックス。
【請求項７】
前記蓋部材は、前記収容本体の上部側に移動して前記開口部を開放する、請求項１〜６のいずれか１項に記載の収容ボックス。
【請求項８】
前記収容本体は、天井面が底面よりも狭くなるように上方に向かって傾斜して前記開口部が形成されており、
前記蓋部材は、前記収容本体の上部側で回動可能に配設されており、該蓋部材の上面が前記収容本体の天井面上に当接すると該蓋部材の側方縁と前記開口部の側方縁とが傾斜した直線となるよう形成されている、請求項１〜７のいずれか１項に記載の収容ボックス。
【請求項９】
固定及び固定解除動作する固定部が複数並んで配設されたストックベースと、
請求項１〜８のいずれか１項に記載の収容ボックスと、
を備えたストッカシステム。
【請求項１０】
請求項９に記載のストッカシステムであって、
認証部での認証により前記固定部を固定解除動作させる制御部、
を備えたストッカシステム。
【発明の詳細な説明】
【技術分野】
【０００１】
本発明は、収容ボックス及びストッカシステムに関する。
【背景技術】
【０００２】
従来、ストッカシステムとしては、複数のボックスを有するロッカーにおいて、顧客が使用するボックスを解錠するシステムが知られている。例えば、特許文献１は、顧客が宅配ロッカーのテンキーを利用して暗証番号を入力するか、又は予め登録したカードを宅配ロッカーのカードリーダーに挿入すると、管理センターのデータベースサーバが入力された暗証番号やカード番号が正しいか否かを判定する。そして、データベースサーバが正しいと判定すると、管理センターからの信号によりロッカーボックスの扉が開放される。
【先行技術文献】
【特許文献】
【０００３】
【特許文献１】特許第３５６０３２７号
【発明の概要】
【発明が解決しようとする課題】
【０００４】
しかしながら、この特許文献１に記載されたロッカーでは、商品を取り出して持ち運ばなければならないため、商品を簡単に持ち運ぶことができることが望まれていた。
【０００５】
本発明は、このような課題に鑑みなされたものであり、物品を収容したまま移動することができる収容ボックス及びストッカシステムを提供することを主目的とする。
【課題を解決するための手段】
【０００６】
本発明は、上述の主目的を達成するために以下の手段を採った。
【０００７】
本発明の収容ボックスは、
固定及び固定解除動作する固定部が複数並んで配設されたストックベースを備えたストッカシステムに用いられる収容ボックスであって、
開口部が形成され物品を収容する収容本体と、
前記開口部を閉塞する蓋部材と、
前記蓋部材と前記収容本体とをロックするロック機構と、
前記収容本体に配設され前記ストックベースの前記固定部に固定される固定機構と、を備え、
前記固定機構が前記固定部から固定解除されると前記ストックベースから分離移動可能となるものである。
【０００８】
この収容ボックスは、収容本体に配設された固定機構がストックベースの固定部に固定されており、固定機構が前記固定部から固定解除されるとストックベースから分離移動可能となる。したがって、この収容ボックスは、ストッカシステムに用いられるものであるが、物品を収容したまま移動すること（持ち運ぶこと）ができる。
【０００９】
本発明の収容ボックスにおいて、前記ロック機構及び前記固定機構は、前記固定部の固定解除動作により連動してロック解除及び固定解除されるものとしてもよい。この収容ボックスは、固定部の固定解除動作により連動してロック解除及び固定解除されるため、複数の操作を行うことなく、手間をかけずに移動することができる。
【００１０】
本発明の収容ボックスにおいて、前記ロック機構は、一端側が前記ストックベースに接触し他端側が前記蓋部材に接触する接続部材を有し、前記接続部材の他端側が前記蓋部材の移動を規制する規制部であるものとしてもよい。この収容ボックスは、ストックベースに接触する接続部材を利用して蓋部材をロックすることができる。
【００１１】
本発明の収容ボックスにおいて、前記固定機構は前記収容本体の一端側に配設され、前記ロック機構は前記収容本体の他端側に配設されており、前記ロック機構は、前記固定機構から該ロック機構まで形成された接続部材を有し、前記接続部材は前記固定機構側に付勢されており、前記固定機構が前記固定部に固定されると、前記接続部材は前記ロック機構側に移動して前記蓋部材の移動を規制するものとしてもよい。この収容ボックスは、収容本体がストックベースに固定された際に、接続部材を利用して蓋部材をロックすることができる。この収容ボックスにおいて、前記収容本体は、前記固定部の固定解除動作によって前記接続部材が前記ストックベースを押圧することにより該ストックベースから離間移動するものとしてもよい。この収容ボックスは、例えば、左右方向に配列して複数の収容ボックスが固定されている場合などに、固定解除した収容本体が移動するため、固定解除された収容本体を認識しやすい。また、ロック機構の構成（付勢された接続部材）を利用して、収容本体をストックベースから離間移動させることができる。なお、収容ボックスは、台車上に配設されているものとしてもよい。
【００１２】
本発明の収容ボックスにおいて、前記蓋部材は、前記収容本体の上部側に移動して前記開口部を開放するものとしてもよい。この収容ボックスは、蓋部材が左右方向ではなく、上部側に移動するため、左右方向に複数の収容ボックスが配列された場合に、収容本体の前方での作業性がよく、収容本体へ物品を出し入れしやすい。
【００１３】
本発明の収容ボックスにおいて、前記収容本体は、天井面が底面よりも狭くなるように上方に向かって傾斜して前記開口部が形成されており、前記蓋部材は、前記収容本体の上部側で回動可能に配設されており、該蓋部材の上面が前記収容本体の天井面上に当接すると、該蓋部材の側方縁と前記開口部の側方縁とが傾斜した直線となるよう形成されているものとしてもよい。この収容ボックスは、蓋部材を開けたときに開口縁が直線状であり突出する部分がないため、収容本体へ物品を出し入れしやすい。
【００１４】
本発明のストッカシステムは、固定及び固定解除動作する固定部が複数並んで配設されたストックベースと、上述したいずれかの収容ボックスと、を備えたものである。このストッカシステムは、上述した収容ボックスと同様に、物品を収容したまま移動することができる。
【００１５】
本発明のストッカシステムは、認証部での認証により前記固定部を固定解除動作させる制御部を備えたものとしてもよい。このストッカシステムでは、認証により収容ボックスを移動可能にするため、セキュリティが高い。
【図面の簡単な説明】
【００１６】
【図１】ストッカシステム１０の一例を表す概略説明図。
【図２】収容ボックス２０の一例を表す概略説明図。
【図３】蓋部材３５を開放した収容部３０の説明図。
【図４】固定機構２５及びロック機構４０の説明図。
【図５】収容ボックス２０に収容物品を収容し利用する説明図。
【図６】誤ロック防止機構４５の一例を表す説明図。
【図７】別の収容ボックス２０Ｂの一例を表す概略説明図。
【図８】別の収容ボックス２０Ｃの一例を表す概略説明図。
【発明を実施するための形態】
【００１７】
次に、本発明の実施形態について、図面を用いて説明する。図１は、本発明の一実施形態であるストッカシステム１０の構成の概略説明図である。図２は、収容ボックス２０の一例を表す概略説明図である。図３は、蓋部材３５を開放した収容部３０の説明図である。図４は、固定機構２５及びロック機構４０の説明図である。ストッカシステム１０は、例えば、ネットワークショッピングなどで購入した商品をその購入者が受け取る際に利用される。ストッカシステム１０は、認証装置１１と、収容ボックス２０とストックベース１８とを備えている。このストッカシステム１０は、例えば、複数の収容ボックス２０がストックベース１８に固定された状態で隣に並んで配列されている。図１に示したストッカシステム１０では、収容ボックス２０が向かい合って２列配列されているものを図示したが、１列であってもよいし、３列以上配列されていてもよい。
【００１８】
ストックベース１８は、図４に示すように、収容ボックス２０を固定及び固定解除する固定部１５が複数並んで配列した横長の板状の部材である。固定部１５は、ストックベース１８の下板部分から上方に向かって形成されたクランパであり、固定解除部１６により固定位置と退避位置との間を移動する。固定解除部１６は、ストックベース１８の下板に形成された有底孔に配設され、バネと電磁石とを有しており、通常はバネにより固定部１５を上方に付勢し（ロック状態）、電磁石を作動させると固定部１５を下方に固定（アンロック状態）する。
【００１９】
認証装置１１は、商品を購入した購入者の認証を行い、認証された収容ボックス２０を固定解除し、移動可能にするものである。認証装置１１は、制御部１２と、記憶部１３と、表示入力部１４とを備えている。制御部１２は、ＣＰＵ、ＲＯＭ及びＲＡＭなどにより構成され装置全体の制御を司るものである。この制御部１２は、表示入力部１４での認証により固定部１５を固定解除動作させる。記憶部１３は、各種アプリケーションプログラムや各種データファイルを記憶するものであり、商品の購入者の情報と商品を収容した収容ボックス２０との対応関係を記憶している。表示入力部１４は、認証部としての機能を有し、各種情報を表示すると共に、表示された画像に触れることにより各種指令を入力するタッチパネルとして構成されている。
【００２０】
収容ボックス２０は、台車部２１と、収容部３０とを備えている。台車部２１は、図２に示すように、基部２２と、車輪２３と、アーム２４とを備えている。基部２２は、収容部３０を載置固定する平板状の台であり、下面に車輪２３が配設されている。アーム２４は、台車部２１を移動する際に購入者が手押しする部材であり、基部２２に固定され、収容部３０の中段後方に購入者が握るバーが形成されている。
【００２１】
収容部３０は、図２、３に示すように、開口部３１が形成され物品を収容する収容本体３２と、開口部３１を閉塞する蓋部材３５と、を備えている。収容本体３２は、図３に示すように、商品を含む収容物品５０、５１を収容する空間が形成された箱体である。収容本体３２は、天井面３２ａが底面３２ｂよりも狭くなるように上方に向かって傾斜して開口縁３３が形成されている。蓋部材３５は、開口部３１を閉塞した際に収容部３０が直方体を形成するよう、傾斜して開口縁３６が形成されている。この蓋部材３５は、収容本体３２の上部側でヒンジ３４により回動可能に配設されており、収容本体３２の上部側に移動して開口部３１を開放する。蓋部材３５は、蓋部材３５の上面３７が収容本体３２の天井面３２ａ上に当接するまで開放されると、この蓋部材３５の側方の開口縁３６と収容本体３２の側方の開口縁３３とが傾斜した直線となるよう形成されている（図３参照）。なお、収容本体３２の開口縁３３は、図３に示すように内側が外側に比して高く形成されており、例えば、雨など外部からの水の浸入をより抑制するようになっている。また、蓋部材３５の開口縁３６は、外側が内側に比して高く形成されており、開口縁３３との密着性がより高められている。蓋部材３５には、棒状の規制部４２（図４参照）が挿入される挿入穴３８が基部２２側に形成されている（図２参照）。
【００２２】
収容ボックス２０は、図４に示すように、固定機構２５と、ロック機構４０とを備えている。固定機構２５は、収容本体３２に配設されストックベース１８の固定部１５に固定されるものである。この固定機構２５は、基部２２の下面側に設けられた固定穴２６である。ストックベース１８に配設された固定部１５がこの固定穴２６に挿入されると、収容ボックス２０はストックベース１８に固定される。この収容ボックス２０は、固定機構２５が固定部１５から固定解除されるとストックベース１８から分離移動可能となる。ロック機構４０は、蓋部材３５と収容本体３２とをロックするものであり、収容部３０に収容された収容物品５０、５１の他人による持出しを防止するものである。ロック機構４０は、一端側がストックベース１８に接触し他端側が蓋部材３５に接触する接続部材４１を有し、接続部材４１の他端側が蓋部材３５の移動を規制する規制部４２である。接続部材４１は、固定機構２５側からロック機構４０側まで形成された棒状体であり、その先端に、やや細い棒状体である規制部４２が形成されている。なお、収容ボックス２０は、収容本体３２の背面側（一端側）に固定機構２５が形成されており、収容本体３２の正面側（他端側）にロック機構４０が形成されている。この接続部材４１は、バネ４３により背面側（固定機構２５側）に付勢されており、固定機構２５が固定部１５に固定されるとストックベース１８により押圧されて、接続部材４１は、正面側（ロック機構４０側）に移動して蓋部材３５の挿入穴３８に規制部４２が挿入され、蓋部材３５の移動を規制する。このように、ロック機構４０及び固定機構２５は、収容ボックス２０のストックベース１８への取り付け動作（固定部１５の固定動作）により、接続部材４１が移動し、収容ボックス２０の固定と連動して蓋部材３５のロックがなされる。また、ロック機構４０及び固定機構２５は、収容ボックス２０のストックベース１８からの固定解除動作（固定部１５の固定解除動作）により連動して蓋部材３５のロック解除がなされる。このとき、収容本体３２は、固定部１５の固定解除動作によって接続部材４１がストックベース１８を押圧することにより、ストックベースから離間移動する。
【００２３】
次に、ストッカシステム１０の利用方法について説明する。図５は、収容ボックス２０に収容物品を収容し利用する説明図であり、図５（ａ）が収容物品５０，５１を収容ボックス２０へ収容する図、図５（ｂ）が受取待機中の図、図５（ｃ）が受取時の図である。まず、作業者は、蓋部材３５を開放し、収容物品５０，５１を収容する収容ボックス２０の前に並べる（図５（ａ））。蓋部材３５は、上方に開放されるので、収容ボックス２０の前方の作業スペースが確保される。収容物品を収容本体３２へ収容すると、作業者は、蓋部材３５を閉じて、収容ボックス２０をストックベース１８に当接させる。このとき、固定部１５が固定穴２６に挿入されて収容ボックス２０がストックベース１８に固定される。さらに、ストックベース１８により押圧されて接続部材４１が前方に移動し、規制部４２が挿入穴３８に挿入され、蓋部材３５がロックされる（図５（ｂ））。そして、購入者が、認証装置１１で認証情報を表示入力部１４から入力する。すると、制御部１２は、認証処理を行い、正常に認証された場合は、該当する固定部１５の固定解除動作、即ち固定解除部１６により固定部１５を下方に移動させる。固定解除された収容ボックス２０は、バネ４３により接続部材４１がストックベース１８を押圧し、そのバネ力で、前方に移動する（図５（ｃ））。即ち、収容本体３２は、固定部１５の固定解除動作によって接続部材４１がストックベース１８を押圧することによりストックベース１８から離間移動する。これにより、購入者は、自分の購入した収容物品が収容された収容ボックス２０を認識することができる。
【００２４】
ここで、本実施形態の構成要素と本発明の構成要素との対応関係を明らかにする。本実施形態の挿入穴３８、接続部材４１、規制部４２がロック機構に相当し、固定穴２６が固定機構に相当する。
【００２５】
以上説明した実施形態の収容ボックス２０は、収容本体３２に配設された固定機構２５がストックベース１８の固定部１５に固定されており、固定機構２５が固定部１５から固定解除されるとストックベース１８から分離移動可能となる。したがって、この収容ボックス２０は、ストッカシステム１０に用いられるものであるが、物品を収容したまま移動すること（持ち運ぶこと）ができる。また、ロック機構４０及び固定機構２５は、固定部１５の固定解除動作により連動してロック解除及び固定解除されるため、複数の操作を行うことなく、手間をかけずに収容ボックス２０を移動することができる。
【００２６】
更に、ロック機構４０は、一端側がストックベース１８に接触し他端側が蓋部材３５に接触する接続部材４１を有し、接続部材４１の他端側が蓋部材３５の移動を規制する規制部４２であるため、この収容ボックス２０は、ストックベース１８に接触する接続部材４１を利用して蓋部材３５をロックすることができる。更にまた、固定機構２５は収容本体３２の一端側（背面側）に配設され、ロック機構４０は収容本体３２の他端側（正面側）に配設されており、ロック機構４０は、固定機構２５からロック機構４０まで形成された接続部材４１を有し、接続部材４１は固定機構２５側に付勢されており、固定機構２５が固定部１５に固定されると、接続部材４１はロック機構４０側に移動して蓋部材３５の移動を規制する。この収容ボックス２０は、収容本体３２がストックベース１８に固定された際に、接続部材４１を利用して蓋部材３５をロックすることができる。また、収容本体３２は、固定部１５の固定解除動作によって接続部材４１がストックベース１８を押圧することによりストックベース１８から離間移動するため、この収容ボックス２０は、例えば、左右方向に配列して複数の収容ボックス２０が固定されている場合などに、固定解除した収容本体３２が移動するため、固定解除された収容本体３２を認識しやすい。また、ロック機構４０の構成（付勢された接続部材４１）を利用して、収容本体３２をストックベース１８から離間移動させることができる。また、収容本体３２は、台車部２１上に配設されているため、車輪２３により台車部２１ごと移動することができる。
【００２７】
また、蓋部材３５は、左右方向ではなく、収容本体３２の上部側に移動して開口部３１を開放するため、例えば、左右方向に複数の収容ボックス２０が配列された場合に、収容本体３２の前方での作業性がよく、収容本体３２へ収容物品５０，５１を出し入れしやすい。更に、収容本体３２は、天井面３２ａが底面３２ｂよりも狭くなるように上方に向かって傾斜して開口部３１が形成されており、蓋部材３５は、収容本体３２の上部側で回動可能に配設されている。そして、蓋部材３５の上面３７が収容本体３２の天井面３２ａ上に当接すると、蓋部材３５の側方の開口縁３６と開口部３１の側方の開口縁３３とが傾斜した直線となるよう形成されている。この収容ボックス２０は、蓋部材３５を開けたときに開口縁３３，３６が直線状であり突出する部分がないため、収容本体３２へ収容物品５０，５１を出し入れしやすい。また、ストッカシステム１０は、認証部での認証により固定部１５を固定解除動作させる制御部１２を備えており、認証により収容ボックス２０を移動可能にするため、セキュリティが高い。
【００２８】
なお、本発明は上述した実施形態に何ら限定されることはなく、本発明の技術的範囲に属する限り種々の態様で実施し得ることはいうまでもない。
【００２９】
例えば、上述した実施形態では、特に説明しなかったが、図６に示すように、誤ロック防止機構４５を備えるものとしてもよい。誤ロック防止機構４５は、蓋部材３５を閉め忘れて収容ボックス２０をストックベース１８に固定してしまうのを防止する機構であり、ブロック４７と、バネ４８とを備えている。ブロック４７は、バネ４８により付勢され、規制部４２の前方に配置される部材である。このブロック４７は、基部２２の前方に形成された有底溝４６に配設され、蓋部材３５が閉じられると、蓋部材３５の先端に当接して下方に押し下げられる。ブロック４７が下方に押し下げられると、接続部材４１は、前方に移動可能になる。このとき、接続部材４１の先端の規制部４２が蓋部材３５の挿入穴３８に挿入可能になる。このように、誤ロック防止機構４５を有すれば、蓋部材３５を閉めない状態では接続部材４１の移動が規制され、固定部１５による収容ボックス２０の固定が防止される。こうすれば、蓋部材３５のロックと、収容ボックス２０の固定とをより確実に行うことができる。
【００３０】
上述した実施形態では、固定部１５と固定穴２６により収容ボックス２０を固定するものとしたが、収容ボックス２０をストックベース１８に固定するものとすれば、特にこれに限定されない。また、挿入穴３８と規制部４２とにより蓋部材３５をロックするものとしたが、蓋部材３５をロックするものとすれば、特にこれに限定されない。図７は、別の収容ボックス２０Ｂの一例を表す概略説明図である。収容ボックス２０Ｂは、固定機構２５Ｂと、ロック機構４０Ｂとを備えている。ストックベース１８Ｂは、先端がＵ字状に形成され前後方向に回動する固定部１５Ｂを備えている。固定機構２５Ｂは、接続部材４１の後端に０字状の固定穴２６Ｂが形成されている。固定機構２５Ｂは、固定部１５Ｂの回動により接続部材４１Ｂが引き込まれつつ固定部１５Ｂの先端が固定穴２６Ｂに入れ込まれることにより収容ボックス２０Ｂとストックベース１８Ｂとを固定する。また、ロック機構４０Ｂは、Ｊ字状（釣り針形状）に形成された規制部４２Ｂが接続部材４１Ｂの先端に形成されており、接続部材４１Ｂが固定部１５Ｂにより後方に引き込まれることによって規制部４２Ｂの先願が挿入穴３８Ｂに挿入されて蓋部材３５がロックされる。このような機構によっても、収容ボックス２０Ｂの固定や、蓋部材３５のロックを行うことができる。
【００３１】
上述した実施形態では、接続部材４１を用いた機構により、収容ボックス２０の固定や蓋部材３５のロックを行うものとしたが、特にこれに限定されない。図８は、別の収容ボックス２０Ｃの一例を表す概略説明図である。収容ボックス２０Ｃは、収容本体３２に回動可能に配設されたＣ字状の規制部４２Ｃと、規制部４２Ｃに形成された貫通孔である挿入穴３８Ｃとを有する固定ロック機構２５Ｃを備えている。蓋部材３５にはその先端に規制部４２Ｃにより挟み込まれる鍔部が形成されている。ストックベース１８には、挿入穴３８Ｃに挿入されるピン形状の固定部１５Ｃが上下動可能に支持されている。なお、固定部１５Ｃの上下動は、鍵などによりロックするものとして作業者が手動で行ってもよいし、認証装置１１の認証により制御部１２が駆動制御してもよい。この固定ロック機構２５Ｃは、規制部４２Ｃにより蓋部材３５の鍔部を挟み込んだ状態で、挿入穴３８Ｃに固定部１５Ｃが挿入されると、規制部４２Ｃの回動及び台車部２１の移動が規制される。このような機構を用いても、ストッカシステムの収容ボックスは、物品を収容したまま移動することができる。
【００３２】
上述した実施形態では、ロック機構４０及び固定機構２５は、固定部１５の固定解除動作に連動して、ロック及び固定、又はロック解除及び固定解除を行うものとしたが、特にこれに限定されず、別々に行うものとしてもよい。こうしても、収容ボックス２０は、物品を収容したまま移動することができる。
【００３３】
上述した実施形態では、接続部材４１を用いるものとしたが、特にこれに限定されない。また、固定機構２５は、固定部１５による固定穴２６としたが、特にこれに限定されない。ロック機構４０は、挿入穴３８及び規制部４２としたが、特にこれに限定されない。
【００３４】
上述した実施形態では、バネ４３のバネ力によって、固定部１５の固定解除時に収容ボックス２０がストックベース１８から離間移動するものとしたが、特に収容ボックス２０が固定解除によりストックベース１８から離間移動しなくてもよい。
【００３５】
上述した実施形態では、蓋部材３５は上方に回動するものとしたが、蓋部材をシャッター構造として上方にスライドするものとしてもよい。また、蓋部材は、上方以外、例えば、左右方向や下方に移動するものとしてもよい。上述した実施形態では、開口縁３３、３６は、蓋部材３５の解放時に直線を形成するものとしたが、特にこれに限定されず、開口縁３３，３６は、直線を形成しなくてもよい。
【００３６】
上述した実施形態では、ストッカシステム１０は、認証装置１１を備えるものとしたが、認証装置１１を省略して、鍵などを用いて手動で固定解除するものとしてもよい。こうすれば構成を簡略化することができる。
【００３７】
上述した実施形態では、収容ボックス２０は、台車部２１を備えるものとしたが、特にこれに限定されず、収容部３０のみとしてもよい。このとき、固定機構２５やロック機構４０（接続部材４１）などは収容部３０に配設すればよい。
【産業上の利用可能性】
【００３８】
本発明は、例えば、ネットワークショッピングなど商品を購入者に配送受け取りする装置の技術分野に利用可能である。
【符号の説明】
【００３９】
１０  ストッカシステム、１１  認証装置、１２  制御部、１３  記憶部、１４  表示入力部、１５，１５Ｂ，１５Ｃ  固定部、１６  固定解除部、１８，１８Ｂ  ストックベース、２０，２０Ｂ，２０Ｃ  収容ボックス、２１  台車部、２２  基部、２３  車輪、２４  アーム、２５，２５Ｂ  固定機構、２５Ｃ  固定ロック機構、２６，２６Ｂ  固定穴、３０  収容部、３１  開口部、３２  収容本体、３２ａ  天井面、３２ｂ  底面、３３  開口縁、３４  ヒンジ、３５  蓋部材、３６  開口縁、３７  上面、３８，３８Ｂ，３８Ｃ  挿入穴、４０，４０Ｂ  ロック機構、４１  接続部材、４２，４２Ｂ，４２Ｃ  規制部、４３  バネ、４５  誤ロック防止機構、４６  有底溝、４７  ブロック、４８  バネ、５０，５１  収容物品。
【図１】
0006591776.tif 000002
【図２】
0006591776.tif 000003
【図３】
0006591776.tif 000004
【図４】
0006591776.tif 000005
【図５】
0006591776.tif 000006
【図６】
0006591776.tif 000007
【図７】
0006591776.tif 000008
【図８】
0006591776.tif 000009